(57)【要約】【課題】大豆等の調製出荷施設において、設置面積の縮小によるコスト低廉をはかると共に搬送経路を合理化して大豆等の損傷を防止する。【解決手段】穀粒を荷受けし調製工程を経て保管し所定の要求量を出荷する穀粒の調製出荷施設において、該施設を荷受け設備Ａと粗選設備Ｂと調製設備Ｃと出荷設備Ｄとにより構成し、このうち荷受け設備Ａは荷受けホッパ、一時貯留用原料タンクを備え、粗選設備Ｂは原料タンクからの穀粒を受けて風力選別機等粗選別処理する手段及び夾雑物回収タンクを備え、調製設備Ｃは粗選後の穀粒を粒径及び／または形状選別して製品穀粒とする選別手段、該選別処理された整粒を受ける製品タンクを備え、出荷設備Ｄは出荷前処理手段及び出荷計量器を備え、これら粗選設備Ｂと調製設備Ｃと出荷設備Ｄとに荷受け昇降機、調製用昇降機及び出荷昇降機を備えて各設備を複数階に構成してなる。【選択図】   図１
2005151886.tif 000002
【特許請求の範囲】
【請求項１】
穀粒を荷受けし調製工程を経て保管し所定の要求量を出荷する穀粒の調製出荷施設において、該施設を荷受け設備Ａと粗選設備Ｂと調製設備Ｃと出荷設備Ｄとにより構成し、このうち荷受け設備Ａは荷受けホッパ、一時貯留用原料タンクを備え、粗選設備Ｂは原料タンクからの穀粒を受けて風力選別機等粗選別処理する手段及び夾雑物回収タンクを備え、調製設備Ｃは粗選後の穀粒を粒径及び／または形状選別して製品穀粒とする選別手段、該選別処理された整粒を受ける製品タンクを備え、出荷設備Ｄは出荷前処理手段及び出荷計量器を備え、これら粗選設備Ｂと調製設備Ｃと出荷設備Ｄとに荷受け昇降機、調製用昇降機及び出荷昇降機を備えて各設備を複数階に構成してなる穀粒調製出荷施設。
【請求項２】
荷受け設備Ａの荷受けホッパ、一時貯留用原料タンク及び粗選設備Ｂの夾雑物回収タンク、調製設備Ｃの製品タンク、出荷設備Ｄの出荷計量器を複数階のうち１階部分に構成してなる請求項１に記載の穀粒調製出荷施設。
【発明の詳細な説明】
【技術分野】
【０００１】
この発明は、所定に乾燥された大豆等の穀粒を荷受けして整粒に調製し要求量を出荷する穀粒調製出荷施設に関し、各種機材の配置構成の合理化を図る。
【背景技術】
【０００２】
従来、大豆の選別調製施設にあっては、荷受け・粗選設備、調製設備、出荷設備は平面的に配置される構成であるから設置面積を広く必要としていた（非特許文献１）。
【非特許文献１】社団法人全国農業改善普及協会発行「大豆乾燥調整マニュアル」第６２頁
【発明の開示】
【発明が解決しようとする課題】
【０００３】
ところが上記の従来の構成によると、荷受けから出荷までの各設備、特に調製プラントと各種タンクを平面的に配置するものであるから設置面積を広く必要とする。これを解消すべく複数階に機材を配置する構成もあるが、設置面積の縮小のみにとらわれては穀粒の流れや搬入搬出の合理化を行い得ないものとなっている。
【課題を解決するための手段】
【０００４】
上記課題を解決するために、本発明は次のような技術的手段を講じた。
即ち、穀粒を荷受けし調製工程を経て保管し所定の要求量を出荷する穀粒の調製出荷施設において、該施設を荷受け設備Ａと粗選設備Ｂと調製設備Ｃと出荷設備Ｄとにより構成し、このうち荷受け設備Ａは荷受けホッパ、一時貯留用原料タンクを備え、粗選設備Ｂは原料タンクからの穀粒を受けて風力選別機等粗選別処理する手段及び夾雑物回収タンクを備え、調製設備Ｃは粗選後の穀粒を粒径及び／または形状選別して製品穀粒とする選別手段、該選別処理された整粒を受ける製品タンクを備え、出荷設備Ｄは出荷前処理手段及び出荷計量器を備え、これら粗選設備Ｂと調製設備Ｃと出荷設備Ｄとに荷受け昇降機、調製用昇降機及び出荷昇降機を備えて各設備を複数階に構成してなる。これによって、粗選設備Ｂ、調製設備Ｃおよび出荷設備Ｄが上部階から１階までの縦に形成されて大豆を流下しながら各設備毎の処理を施し、１階部分に配置させた各種タンクに収容させる。
【０００５】
また請求項２に記載の発明は、上記において、荷受け設備Ａの荷受けホッパ、一時貯留用原料タンク及び粗選設備Ｂの夾雑物回収タンク、調製設備Ｃの製品タンク、出荷設備Ｄの出荷計量器を複数階のうち１階部分に構成してなる。したがって、荷受け設備Ａ、粗選設備Ｂ、調製設備Ｃおよび出荷設備Ｄは、各設備のうち作動機器類は全てが２階部分や３階部分にあって調製を実施中であっても、荷受け設備Ａの荷受けホッパ及び一時貯留用原料タンク、粗選設備Ｂの夾雑物回収タンク、調製設備Ｃの製品タンク、出荷設備Ｄの出荷計量器を複数階のうち１階部分にあって、荷受けや出荷作業を並行して行う。
【発明の効果】
【０００６】
請求項１に係る発明は、粗選設備Ｂ、調製設備Ｃおよび出荷設備Ｄが３階から１階までの縦に形成されて大豆を流下しながら各設備毎の処理を施し、１階部分に配置させた各種タンクに収容させるものであるから、単体毎に昇降機を基準として上下に配置した機材類を大豆流下に従って処理でき大豆損傷を少なくできる。
【０００７】
また、請求項2に記載の発明によると、荷受け設備Ａ、粗選設備Ｂ、調製設備Ｃおよび出荷設備Ｄは、各設備のうち作動機器類は全てが２階部分や３階部分にあって調製を実施中であっても、荷受け設備Ａの荷受けホッパ及び一時貯留用原料タンク、粗選設備Ｂの夾雑物回収タンク、調製設備Ｃの製品タンク、出荷設備Ｄの出荷計量器を複数階のうち１階部分に構成しているから、荷受けや出荷作業を並行して行い得て効率的である。また、これら各設備Ａ，Ｂ，Ｃ，Ｄの搬送機器類が相互に関係して交差し合うことがなく搬送経路を短く構成できる。
【発明を実施するための最良の形態】
【０００８】
荷受け設備Ａ、粗選設備Ｂ、調製設備Ｃ及び出荷設備Ｄを合理的に配置するとともに、複数階に配置して設置面積の縮小によるコスト低廉をはかると共に搬送経路を上方から下方に向けて行うことで大豆等の損傷を防止する。
【０００９】
この発明の一実施の形態を図面に基づき説明する。
図１の選別施設は、適宜に乾燥された大豆の選別施設であって、荷受け部１、粗選部２、粒径選別部３、ベルト選別部４、製品タンク部５、出荷部６からなり、このうち更に荷受け部１と粗選部２とは夫々荷受け設備Ａ，粗選設備Ｂを構成する。また粒径選別部３、ベルト選別部４及び製品タンク５群をもって調製設備Ｃを構成し、出荷部６には出荷計量器を備え該出荷部６と出荷前処理装置をもって出荷設備Ｄを構成する。そしてこれら粗選設備Ｂと調製設備Ｃと出荷設備Ｄの各機材ユニットを複数階に配置することで施設全体が構成される。
【００１０】
上記の荷受け部１は、荷受け昇降機７と複数の原料タンク８ａ〜８ｄによって構成され、該昇降機７の原料投入ホッパ９にはダンプ車両１０からの大豆投入を受入れる構成である。
【００１１】
粗選部２は比重選別形態や篩選別形態の複数の機材からなり、搬送上手側より直列状に設けられ種類分けしてダスト類を除去された大豆は次段の粒径選別部３に供給され、該ダスト類は夾雑物回収タンク群１１に分離回収される構成である。前記原料タンク８ａ〜８ｄから高い粗選昇降機２４を経て揚上される大豆は粗選流調タンク１２を経由して風力選別機１３が設けられ搬送途中にて分離した大豆の皮等軽比重の夾雑物を分離除去する。１４は篩選別機で、大豆よりも径大の茎類等の夾雑物を除去する構成である。該篩選別機１４を経た大豆は、石抜機１５、比重選別機１６を経由すべく構成し、大豆粒径に近い石や夾雑物が除去される。
【００１２】
上記夾雑物回収タンク群１１は、皮類等極めて軽い夾雑物を回収するハスクタンク１１ａ、皮類よりもやや重いが大豆よりも軽い比重の夾雑物を回収する第１のダストタンク１１ｂ、大豆粒径よりも大きい夾雑物を回収する第２のダストタンク１１ｃ、大豆の半割れを回収する半割れ回収タンク１１ｄ、及び後記ベルト選別部からの屑粒を回収するベルト選別回収タンク１１ｅを備えている。風力選別部１２からの軽比重の夾雑物は軽重によってダストタンク１１ａまたはダストタンク１１bへ排出されるよう構成される。篩選別機１３から３段階に仕分けら夾雑物は荒ごみを別途排出するほか、第２のダストタンク１１ｃ、半割れ回収タンク１１ｄに排出される構成である。
【００１３】
前記粗選昇降機２４は、建屋３階の高さを有し、建屋１階から原料タンク８の大豆を受けて３階まで揚上する構成であり、前記粗選流調タンク１２、風力選別機１３、及び篩選別機１４を３階部分に配置し、後工程である石抜機１５及び比重選別機１６を２階部分に配置し、夾雑物回収タンク群１１を１階部分に配置して、上方より順次流下しながら大豆は粗選処理されるように構成している。なお、原料投入ホッパ９は１回床面にピットを形成して構成され、原料タンク８は１階部分に配置構成されている。もって荷受け粗選設備Ａのタンク群は１階に集中配置され、粗選処理作動を行う機材類は２階乃至３階部分に配置される。
【００１４】
比重選別機１６を経由して各種の夾雑物を除去された大豆は調製昇降機１７によって粒径選別部３に供給される。この粒径選別部３は、同じ目合いのスリット孔を形成した回転選別筒１８を６筒に構成する第１粒径選別部３ａと、該選別筒１８に対して目合いの大きいスリット孔を形成した回転選別筒１９を４筒に構成する第２粒径選別部３ｂとからなり、これらを接続昇降機２０を介して直列的に接続してなる。従って、供給される大豆は、第１粒径選別部３ａのスリット状選別孔を漏下する小径粒と、第１粒径選別部３ａの回転選別筒１８の終端部から排出され第２粒径選別部３ｂに供給され、この第２粒径選別部３ｂの回転選別筒１９のスリット状選別孔から漏下する中径粒と該回転選別筒１９の排出部から排出される大径粒との都合３区分される構成である。
【００１５】
なお、第１粒径選別部３ａと第２粒径選別部３ｂとは、いずれも複数の回転選別筒１８又は１９を設けるが、夫々各選別筒には分配供給部から略均一に大豆を供給できる構成としている。
【００１６】
上記第１、第２粒径選別筒３ａ、３ｂからの排出部には３本設けられたフライトコンベア形態の小粒・中粒及び大粒の各供給搬送装置２１ａ、２１ｂ、及び２１ｃに接続されて搬送処理できる構成である。これら各供給搬送装置２１ａ、２１ｂ、及び２１ｃの搬送途中には開閉弁２２ａ、２２ｂ、及び２２ｃを後記ベルト選別機の設置位置に対応させてどのベルト選別機へも供給でき得るよう設けている。
【００１７】
複数（図例では４機）のベルト選別機２３ａ〜２３ｄを備えたベルト選別部４は次の構成である。すなわち、２面傾斜させた選別ベルト２５を左右の駆動ローラ２６と被動ローラ２７との間に巻回して設け、左右傾斜の低位側でかつ前後傾斜の上位側隅部に大豆供給部２８を構成し、選別ベルト２５を駆動ローラ２６の軸部に直接接続した駆動モータ２９によって駆動して該供給部２８から大豆を供給すると、整粒はベルト２５面の移動イに沿う動きは少なく前後傾斜に沿って前側に転動して主としてベルト２５の前側端縁から落下しこの位置に設けた傾斜案内シュート３０を介して整粒ホッパ３１に回収される。また、外形が完全粒形を呈しない屑粒はベルト２５面の移動イに沿って左右傾斜の上位側に移動し当該上位側に設けた屑粒ホッパ３２に回収される構成である。
【００１８】
上記において、上記選別ベルト２５を２面傾斜に設けた選別ベルト２５は上下２段を単位選別部３３として、複数段（図例では６段）に段積状に構成している。すなわち、選別ベルト２５と、このベルト２５の駆動ローラ２６及び被動ローラ２７とを枠組支持するフレーム３４は、駆動ローラ２６と被動ローラ２７を支持する支持メタル３５，３５、及び３６，３６を側面視及び正・背面視で矩形に構成する兼用フレーム３７の上桟部３７a及び下桟部３７bに各固定する。そして、この兼用フレーム３７を主フレーム３８に対して左右傾斜角度α及び前後傾斜角度βとも調整可能に設けて、上下２段の単位選別部３３を構成する。なお、左右傾斜角度αは、左右傾斜低位側（図２の右側）を主フレーム３８に支持された中間フレーム３９にヒンジ４０，４０を介して左右傾斜高位側が上下すべくなし、この傾斜高位側において兼用フレーム３７と中間フレーム３９との間に、中央部から軸方向前後を互いに逆方向に形成した螺軸４１に螺合した螺合体４２と、下端を該螺合体４２に枢着し上端を上記兼用フレーム３７に枢着した連結アーム４３とを設け、螺軸４１を着脱自在のハンドル（図示せず）を正逆転させることより、螺合体４２を軸方向に移動調整することによって中間フレーム３９（主フレーム３８）に対する兼用フレーム３７の傾斜角度αを変更できる構成としている。
【００１９】
また、前後傾斜角度βは、主フレーム３８に対して上記中間フレーム３９を前側のヒンジ４４，４４で角度変更可能に支持し、反対側（後側）の調節ボルト４５，４５で主フレーム３８に対して中間フレーム３９を上下させて角度βを調整できる構成である。
【００２０】
５０は左右方向に移動する大豆を前後に分散させる拡散体である。
上記単位選別部３３のうち、主フレーム３８はその左右方向長さを異ならせて構成され、右側端を揃えて上下に複数段（図例では６段）に雛壇状に接続してなる。そして、最上段の主フレーム３８には供給ホッパ５１を設ける。このホッパ５１内には繰り出しロール（図示せず）を設け、該ロールの回転軸芯方向に複数分割して小室に区分し該小室に供給筒５２，５２…を接続してなり、該供給筒５２，５２…を、各選別ベルト２５の上面に固定して設ける供給シュート５３にのぞませて大豆供給部２８が構成される。こうして供給ホッパ５１からの大豆を上下２段×６組＝１２段の選別ベルト２５に各供給しながら整粒と屑粒とに選別するベルト選別機２３を４機備えている。
【００２１】
上記各ベルト選別機２３ａ〜２３dの供給ホッパ５１には、前記供給搬送装置２２ａ，２２ｂ，２２ｃの開閉弁２２ａ，２２ｂ，２２ｃを夫々対応させて設け、いずれの選別粒径の大豆をも受入れ可能にしている。また、このうちベルト選別機２３ａ、２３ｂの供給ホッパ５１ａ，５１ｂが単一であって、上下１２段全部に同じ粒径の大豆を供給するが、ベルト選別機２３ｃ，２３ｄはこの供給ホッパを上半用と下半用のように複数に設けられ、例えば上・下に分割して上下２段×３組＝６段の選別ベルト２５に分けて異なる粒径を供給するもので、上記ベルト選別機２３ｃには供給ホッパ５１ｃ１，５１ｃ２の２連に設けている。なおベルト選別機２３ｄの場合は、上４組と下２組とに分けて供給しうるよう供給ホッパ５１ｄ１，５１ｄ２の２連構成としている。
【００２２】
上記ベルト選別機２３ａ〜２３ｄからの整粒をまとめて搬送すべくフライトコンベア形態の排出搬送装置５４ａ，５４ｂ，５４ｃを、小・中・大粒用の３連に構成し、また、屑粒をまとめて搬送する排出搬送装置５５を、上記ベルト選別機２３ａ〜２３ｄの下方に配設している。なお、屑粒用の排出搬送装置５５の排出側は、前記夾雑物回収タンク群１１のうちのベルト選別回収タンク１１ｅに接続される。
【００２３】
各ベルト選別機２３ａ〜２３ｄから上記排出搬送装置５４ａ，５４ｂ，５４ｃへの排出は、夫々のベルト選別機の上下整粒ホッパ３１の下端側集合部に配設した切替バルブ５６によっていずれの排出搬送装置５４ａ，５４ｂまたは５４ｃに供給するかを選択する構成としている。すなわち、ベルト選別機２３ａ〜２３ｂには夫々切替弁５６ａ〜５６ｂを配置させるものであり、ベルト選別機２３ｃ及び２３ｄの上・下位分割形態の場合には２組の切替弁５６ｃ１，５６ｃ２、及び５６ｄ１，５６ｄ２を各配設している。
【００２４】
図外調製設備用操作盤には、ベルト選別機２３ａ〜２３ｄへの開閉弁２２ａ，２２ｂ，２２ｃを指示する指示手段としての行き先スイッチを配設し、この行き先スイッチの選択設定に連動して、排出先指定の切替弁５６ａ〜５６ｄ２を所定に切替連動するように構成して排出先に異なる粒径の整粒が混在しないよう構成している。
【００２５】
前記整粒用の排出搬送装置５４ａ，５４ｂまたは５４ｃは、製品タンク部５に接続する。製品タンク部５は、複数に配設した製品タンク群５７ａ〜５７ｅからなり、これらタンク群５７ａ〜５７ｅへの張込搬送装置５８ａ〜５８ｃに夫々接続部５９ａ〜５９ｃ（例えば筒状案内シュート）を介して接続されている。これら張込搬送装置５８ａ〜５８ｃはフライトコンベア形態とされ、夫々上記製品タンク５７ａ〜５７ｅへの各対応箇所には小粒用開閉弁６０ａ〜６０ｅ、中粒用開閉弁６１ａ〜６１ｅ、及び大粒用開閉弁６２ａ〜６２ｅを設けてなり、図外操作盤にて製品タンク５７ａ〜５７ｅをいずれの粒径の整粒を収容するかを選択設定するものであり、開閉弁６０，６１及び６２はその設定によって開位置を指定できる構成である。
【００２６】
前記のように被選別大豆は調製昇降機１７によって搬送された後、粒径選別部３を経てベルト選別部４に供給されて順に処理を受けるものであり、この処理フローを基準とするが、場合に応じて前記昇降機１７から経路６４を経て直接ベルト選別部４への供給搬送装置２１に供給する場合もある。当該施設に持ち込む前に粒径選別処理を実施している場合などに行うものである。
【００２７】
なお、前記調製昇降機１７は、２階部分から３階部分に大豆を揚上できる構成としている。そして３階部分では粒径選別部３を配置し２階部分にはロール選別部４を配設している。もって前記のように粒径選別部３からロール選別部４に大豆を流下させながら所望の選別処理を行うものである。なお調製設備Ｃの１階部分には製品タンク部５及びそれへの張込搬送装置５８を配設する。もって粗選設備Ｂと同様にタンク類は１階部分に配置し、２階３階部分には調製処理作動を行う機材類を配置している。
【００２８】
６５ａ〜６５ｃは上記接続部５９ａ〜５９ｃに夫々設けたサンプル取り出し部である。各接続部５９ａ〜５９ｃからサンプル採取された粒は搬送経路を経て自主検定装置６６に供給される。この自主検定装置６６には前記回転選別筒１７及び回転選別筒１８と同じ目合いの検定用選別筒を直列して２連に設け、サンプル粒を３段階に選別分離する構成とする。すなわち前記回転選別筒１７と同じ目合いの検定用第１選別筒６７と、前記回転選別筒１８と同じ目合いの検定用第２選別筒６８とを設け３段階に区分される構成である。各段階にて選別されたサンプル粒は、夫々に対応して設けるかあるいは兼用された計量器６６ａにて、選別分離毎の粒重量を測定し自主検定用制御部６９に送信できる構成である。
【００２９】
自主検定用制御部６９は、サンプル毎に各目合いにおける排出重量を入力し、粒径選別部３における仕分けが規定レベル内にあるか否か、規定レベルにない場合には回転選別筒１８又は１９による選別の限界を超えた処理であるか、選別筒各部の異常を警報する。一例を示すと、小粒用接続部５９ａからサンプリングして自主検定装置６６にて選別計量の結果を、小粒ｗ１、中粒ｗ２、大粒ｗ３とする。小粒接続部からのサンプリングであるから、ｗ１＞＞ｗ２、及びｗ１＞＞ｗ３である。従って、ｗ２／ｗ１＞γ、又はｗ３／ｗ１＞δ（γ、δは所定基準値）の場合には、予定した小粒中に中粒、または大粒の混入比率が大きいとして警報を出力すべく構成する。粒径選別部３における供給量の過多、各部の調整不良等の要因が予測されるものでこれらの改善を示唆するものである（図７）。
【００３０】
製品タンク部５は出荷昇降機７０を経て出荷部６に接続されている。出荷部６は、フレキシブルコンテナ（フレコン）７１に充填して出荷する形態と、トラックにてバラ出荷する形態とが選択できる構成としている。なお、各出荷に供される整粒は、上記出荷昇降機７０を経て流調タンク７２を経由して金属検出除去機７３に至る構成である。この金属検出除去機７３は、搬送経路途中にマグネットを配設して磁力によって金属を吸着除去する構成である。出荷対象の整粒はその後風力選別機７４に供給される構成である。この風力選別機７４では、粒径選別部３、ベルト選別部４及びその搬送経路等によって発生する粒からの分離物（付着埃類や表皮等）を風選除去するものである。７５は下位にシャッタ７５ａを備える計量タンクで、該シャッタ７５ａは前記出荷操作盤６４Ｓに入力された出荷重量について開出力される。なおシャッタ７５ａは適宜のアクチュエータを備え開または閉出力によって開閉連動すべく構成されるとともに、手動操作によっても開または閉に連動できるよう取っ手（図示せず）を備えた構成である。
【００３１】
なお、主操作盤６３に接続する前記出荷操作盤６４Ｓは出荷要求に応じて製品タンク５７からの出荷量を指定できる構成とし、このときの出荷量については、出荷作業員による計量操作、すなわち計量タンク７５のシャッタ７５ａ操作に基づくほか、次のように構成してもよい。出荷要求量に対応して製品タンク排出コンベア５７Ｆの排出時間を管理して出荷要求量に対応させようとするもので、製品タンク排出コンベア５７Ｆの予想流量は予め確認しておき該製品タンク排出コンベア５７Ｆの終端部に設けた穀粒検出器５７Ｓのオン・オフ作動によって排出時間を管理することによって出荷量を把握できるから、例えば出荷要求量Ｑよりやや少ない量（０．０５×Ｑ）の搬出を管理し、最終的には上記作業員による計量操作でもって残りの０．０５×Ｑをまかない所定量Ｑの出荷を確保するものである。このように構成すると常時出荷計量機７７への計量状態を確認しながら所定要求量排出の管理を余儀なくされる作業員の負担を軽減できる。予想流量は出荷要求量より数パーセントを差し引いた分自動排出を行い、出荷作業員は最後の不足分について手動によるシャッタ７５ａ操作によって出荷量を調整できる。なお、この不足分は、タイマー設定によって自動排出させてもよく、また重量（ｋｇ）設定して自動排出させてもよく、これらの場合には設定操作のほかは自動排出となって更に労力の軽減に寄与する。
【００３２】
上記の出荷設備Ｄにおいて、出荷昇降機７０は１階部分から３階まで大豆を揚上し、この３階部分には流調タンク７２および金属検出除去機７３を、２階部分には風力選別機７４を、１階部分には出荷計量機７７を備えた計量タンク７５を配置して、３階部分から順次流下しながら出荷前処理及び計量出荷処理を行う。
【００３３】
前記の荷受け設備Ａ、粗選設備Ｂ、調製設備Ｃ、及び出荷設備Ｄを構成する各区分、即ち荷受け部１、粗選部２、粒径選別部３、ベルト選別部４、製品タンク部５、及び出荷部６は、３階に構成された建屋内に以下のように収容配置される。１階には、荷受けスペースと出荷スペースとが確保されて搬送車両の出入りを容易化するとともに、各種タンクが配置される。前記原料投入ホッパ８、夾雑物回収タンク１１ａ〜１１ｅ、製品タンク５７ａ〜５７ｅがこの階に配置されるものである。なお前記のように、建屋２階には、粗選部２の石抜機１５及び比重選別機１６、ベルト選別部４のベルト選別機２３ａ〜２３ｄ及び整・屑粒用排出搬送装置５４，５５、出荷部６の風力選別機７３等が配設される。また３階部分には、粗選部２の粗選流調タンク１２や風力選別機１３や篩選別機１４を配設し、及び粒径選別部３やベルト選別機２３への供給搬送装置２１を配設している。
【００３４】
前記荷受け設備Ａの荷受け部１、出荷設備Ｄの出荷部６は、事務所兼操作室４６、荷受場４７、出荷場４８および調製設備Ｂとの平面からみた配置関係は、図９におけるようになっている。すなわち、荷受場４７には荷受け部１と事務所兼操作室４６が隣接し、設置面積の大なる粗選設備Ｂと調製設備Ｃは、夫々荷受け設備Ａと、出荷部設備Ｄおよび出荷場４８の設置スペース部とに隣接して設けられる。このため荷受場４７、荷受け設備Ａ、および出荷場４８・出荷設備Ｄが事務所兼操作室４６に隣接しているので、一括管理が可能となり、併せて平面視で田の字に配置しているから設置面積を少なくし建物のコンパクト化が図れる。
【００３５】
上記の操作室４には主操作盤６３を設け、施設全体の搬送機器、例えば前記各部の昇降機、張込、排出の各種コンベア等のスイッチ操作に基づく駆動停止あるいは各種検出部からの指令信号に基づく自動的な駆動停止を司る。一方荷受情報を入力して各原料タンクへの供給先を指定したり、出荷要求を受けて製品タンクから指定の大豆を排出出荷すべく制御するよう構成している。
【００３６】
荷受け部１には、荷受操作盤６４Ｎを設け、搬入者は車両に搭乗したままで該操作盤６４Ｎにて荷受人・持ち込み大豆の品種を入力する。主操作盤６３はこの入力を受付け、予め設定してある品種に合致するか否かを判定し、荷受操作盤６４Ｎへの入力と一致する場合には該当の原料タンクへの搬入を許可して荷受け可能とし、一致しない場合は空きの原料タンクを捜して当該入力品種への設定の可否を判定する。この設定が可の場合には同様に荷受け許可する。入力された品種に対応する原料タンクがなく然も新たな設定の許可も得られないときは荷受受付拒否される（図１０）。
【００３７】
上例の作用について説明する。荷受け部1に持ち込まれた大豆は、適宜に原料タンク８ａ〜８ｄのいずれか空きのタンクに供給される。この原料タンクの大豆は、昇降機２４を経て粗選部２に供給される。粗選部２では、風力選別機１３を通過して皮等の軽い塵埃類を風選除去する。また、篩選別機１４に供給されると、大豆よりも径大の茎類等の夾雑物が除去される。更に石抜機１５で石抜き処理され、比重選別機１６では、大豆粒径に近くて軽い夾雑物を除去できる。
【００３８】
上記の粗選を行った大豆は昇降機１７を経て先ず粒径選別部３ａに供給される。ここでは小粒とそれ以上の粒径の大豆に仕分けられ、小粒大豆は供給搬送装置２１ａに受けられる。次いで粒径選別部３ｂに送られた大豆はここで中粒と大粒とに分けられ、中粒大豆は供給搬送装置２１ｂに、大粒大豆は供給搬送装置２１ｃに夫々受けられる。
【００３９】
上記供給搬送装置２１ａ〜２１ｃの開閉弁２２は、操作盤によって予め設定された搬送先のベルト選別機２３ａ〜２３ｄに対応する箇所で開動しているため、この搬送先として設定されたベルト選別機２３ａ〜２３ｄのホッパ５１部に小・中又は大粒大豆を供給できる。従って、荷受された大豆の粒径の多寡に応じてベルト選別機の台数あるいは使用段数を予測して上記ホッパ５１への供給先を指定するとよい。ホッパ５１部の大豆は、区分毎に設けられた供給シュート５３，５３によって供給シュート５３に供給され所定の選別ベルト２５面に供給される。
【００４０】
ベルト選別機２３ａ〜２３ｄは、予め選別角度α及びβを調節設定しておき、各駆動モータ２９を起動する。ベルト２５面に供給された上記大豆は、外形が整い球形に近いものは、ベルト２５が前後面傾斜しているため、低位の機枠前側に転動して整粒ホッパ３１にて回収される。一方扁平粒等は転動し難くベルト２５回転に伴って、左右傾斜の上位側に搬送されて屑粒ホッパ３２に回収される。
【００４１】
上記整粒ホッパ３１から回収された整粒は、上下のホッパ部を連通させて小粒用開閉弁６０、中粒用開閉弁６１または大粒用開閉弁６２部に集合させ、下方にのぞませた排出搬送装置５４ａ，５４ｂまたは５４ｃに排出される。
【００４２】
一方屑粒ホッパ３２の場合は上下のホッパが左右に位置ずれ配置されるが適宜の手段によって上位側ホッパからの屑粒が下位側の屑粒タンクに連通して回収可能に設けることより、下方にのぞませた屑粒用の排出搬送装置５５に排出されるものである。
【００４３】
予め小・中・大粒に仕分けてベルト選別機２３に供給されるものであるから、ベルト選別機２３から排出された整粒は粒径が揃っているため、該ベルト選別機から排出された整粒について粒径選別処理を行なう必要がない。
【００４４】
前記排出搬送装置５４ａ，５４ｂ及び５４ｃに排出された大豆粒は、接続部５９を経由して収容すべき粒径穀粒を予め設定した製品タンク５７ａ，５７ｂ又は５７ｃに供給されるものとなる。またこの途中でサンプルが取り出され、自主検定装置６６へその一部がサンプリングされて、前記の区分け処理と重量比率の算出が行なわれ、小・中・大粒の各割合や、前記粒径選別部３（３ａ，３ｂ）の選別状態の精度判定を行なうものである。
【００４５】
製品タンク５７ａ〜５７ｅまでに供給された整粒大豆は、その後の出荷計画にしたがって搬出され、出荷昇降機７０によって１階から３階まで一挙に揚上し、３階で待機する金属検出除去機７３やその階より下の風力選別機７４に順次供給して金属除去処理および搬送、選別過程で生じた剥離皮、塵埃などを風選除去する。このような仕上処理を行なったのち、計量タンク７５に供給して出荷計量機７７によって自動的にあるいは投入重量を確認しながら計量することにより、荷受け人毎にあるいは出荷量の確認等にも用いられる。
【００４６】
出荷に際しては、フレコン出荷形態あるいは車両によるバラ形態の出荷の選択ができる。
上記の実施例では、粗選設備Ｂ、調製設備Ｃおよび出荷設備Ｄが３階から１階までの縦に形成されて大豆を流下しながら各設備毎の処理を施し、１階部分に配置させた各種タンクに収容させるものであるから、単体毎に昇降機を基準として上下に配置した機材類を大豆流下に従って処理させる構成でき大豆損傷を少なくできる。例えば、上記の実施例によると、粒径選別部３を建屋の最上階（３階）に配置し、その下位側の階にはベルト選別機２３を配置するものであるから、粒径選別部３からベルト選別部４への大豆の搬送は、途中フライトコンベア形態の供給搬送装置２１を横設する構成でありながらも、上位から下位に搬送するものとなって、昇降機のような搬送形態をとらないで足り、大豆の損傷を極力防止できる。また、製品タンク５７は１階部分に構成されて、ベルト選別部４からの搬送も上位から下位への自然流下構成となって大豆損傷を少なくさせる。
【００４７】
荷受け設備Ａ、粗選設備Ｂ、調製設備Ｃおよび出荷設備Ｄは、各設備のうち作動機器類は全てが２階部分や３階部分にあって調製を実施中であっても荷受けや出荷作業を並行して行い得て効率的である。また、これら各設備Ａ，Ｂ，Ｃ，Ｄの搬送機器類が相互に関係して交差し合うことがなく搬送経路を短く構成できる
符号９８はベルト選別部４の雛壇型に積み重ねたベルト選別部４の各ベルト選別機２３への穀粒供給状態等を観察するためのカメラであって、モニタ（図示せず）には大豆供給部２８近傍である選別ベルト２５の供給側が映し出される構成である。上下２段の選別ベルト２５を単位選別部３３に構成し、前後、左右各傾斜角度α、βおよびその他の各条件が同一となるように構成してあるから、当該単位選別部３３における上位側選別ベルトも下位側選別ベルトも条件が一定となり、この選別ベルトに粒径など同一性状の大豆を供給すると、上・下位にて同じ選別分布をとるものと予測され、したがって、選別上位の選別状況をカメラ監視することで略全体の選別状況を把握することができるものである。したがって、上記雛壇型に積み重ねた単位選別部３３の各上段側を監視することでベルト選別機２３全体の被選別大豆の供給状況及びベルト面への拡散を確認でき、ひいては大豆の詰りを把握できる。なお、カメラ画像をモニタに直接表示して監視するほか、画像処理して、被選別大豆の有無を検出しうる構成として自動的に穀粒詰りを検出する構成としてもよい。
【００４８】
なお、上記カメラ９８を取付機台９９が垂直方向の螺軸１００に沿って上下移動すべく該螺軸１００に正逆モータ１０１を取付け、カメラ位置を上下に微調整できる構成としている。したがって上下範囲に亘って広い範囲を測定対象とするため、上下方向に調整しながら適当な位置を選択できる。この上下移動に替えて、カメラ９８を取付機台９９に対して上下にあるいは上下左右に首振り自在に構成し、上下範囲に渡って広く測定対象とさせてもよい。
【００４９】
図１１，１２は、ベルト選別機２３の異なる例を示す。ベルト８１面の低位側及び高位側にはそれぞれ整粒ホッパ８２及び屑粒ホッパ８３を設けるほか、その中間位置であってベルト８１の隅部に対応すべく中間粒用ホッパ８４を配設する。そして整粒ホッパ８２部と屑粒ホッパ８３部とに、夫々のぞませてベルト８１面に亘るＬ型の仕切り板８５及び８６を配置し、夫々に螺合させた調節ロッド８７及び８８のハンドル８９及び９０による正逆回転によって該調節ロッドに沿って往復移動すべく構成する。これら仕切り板８５または８６は、大豆の性状や傾斜角度との関係で最良の位置に調節設定されるものである。なお中間粒用ホッパ８４は整粒と屑粒との混合粒が回収され再度ベルト選別機に還元されて再度の選別処理を行うように構成される。
【００５０】
上記仕切り板８５及び８６は、Ｌ型に形成されていて、その上方延長部はベルト８１面に沿う形状となり、調節ロッドのハンドル回転によって両者接近し合いその先端部が接触する関係とすると、実質的に中間粒用ホッパ８４が塞がれて、整粒と  屑粒との２区分形態を実施できるものとなる。このように仕切り板構成とし、その延長部をベルト８１面にのばすことによって、両者が接近し合う整粒・屑粒２区分選別状態と、中間粒用ホッパへの流路を開いて整粒・屑粒及び中間混合粒の３区分分けとする選別状態との切替えが簡単に行える。また、仕切り板を調節ロッドに沿って往復移動させることによって整粒ホッパあるいは屑粒ホッパに対する仕切り位置を調整できるものである。
【００５１】
図１３は前記調製設備Ｂの変形例を示すものである。建屋を４階とし、調製昇降機９１は、荷受け乾燥処理された大豆等の穀粒を４階まで揚上する。そして４階部分には風力選別機９２を、３階部分には比重選別機９３を、２階部分にはベルト選別機９４を、１階部分には粒選別機９５を各配置し、４階の風力選別以下、順次比重選別、ベルト選別、及び粒選別を行う。なお、ベルト選別機９４は粒選別機９５よりも上位の階に配置したが、前記実施例のように粒選別機を先に実施する場合は両者を入れ替えて配置するとよい。上記のように縦に流下しながら穀物調製処理を行うものであるから、大豆の損傷を防止できる。なお、以下色彩選別機９６、出荷計量機９７を経て出荷される。
【図面の簡単な説明】
【００５２】
【図１】大豆選別施設の処理フロー図である。
【図２】ベルト選別機一部の拡大斜視図である。
【図３】ベルト選別機の背面図である。
【図４】ベルト選別機の側面図である。
【図５】傾斜角度調整部の斜視図である。
【図６】ベルト選別機一部の斜視図である。
【図７】フローチャートである。
【図８】各操作盤説明図である。
【図９】各設備のレイアウト図である。
【図１０】フローチャートである。
【図１１】ベルト選別部の異なる例を示す斜視図である。
【図１２】ベルト選別部の異なる例を示す一部拡大断面図である。
【図１３】変形例を示す調製設備である。
【符号の説明】
【００５３】
１…荷受け部、２…粗選部、３…粒径選別部、４…ベルト選別部、５…製品タンク部、６…出荷部、１８，１９…回転選別筒、２３…ベルト選別機、２５…選別ベルト、７７…出荷計量部、Ａ…荷受け設備、Ｂ…粗選設備、Ｃ…調製設備、Ｄ…出荷設備
【図１】
2005151886.tif 000003
【図２】
2005151886.tif 000004
【図３】
2005151886.tif 000005
【図４】
2005151886.tif 000006
【図５】
2005151886.tif 000007
【図６】
2005151886.tif 000008
【図７】
2005151886.tif 000009
【図８】
2005151886.tif 000010
【図９】
2005151886.tif 000011
【図１０】
2005151886.tif 000012
【図１１】
2005151886.tif 000013
【図１２】
2005151886.tif 000014
【図１３】
2005151886.tif 000015